(57)【要約】      （修正有）【課題】両耳の補聴のための聴取装置およびその作動方法を提供する。【解決手段】各補聴器４、６はそれぞれ通信ユニット１１、２１、オーディオ受信器１０、２０およびレシーバ１２、２２を備える。通信ユニットは誘導結合によって相互に情報を伝達する。オーディオ受信器はステレオ方式のオーディオ情報８を受信および処理する。制御装置２６は、両補聴器の一方をオーディオ受信非実行状態に、他方の補聴器をオーディオ受信実行状態に切り換え、作動時間内においてオーディオ信号の信号強度を表すパラメータに依存して、両補聴器のオーディオ受信実行状態とオーディオ受信実行状態を相互に交換し、通信ユニットを用いて誘導結合によって、オーディオ情報をオーディオ受信非実行状態の補聴器に伝送するためにオーディオ受信実行状態の補聴器を制御する。【選択図】図１
2016144214.tif 000002
【特許請求の範囲】
【請求項１】
第１の耳（５）の補聴のための第１の補聴器（４）と、第２の耳（７）の補聴のための第２の補聴器（６）を具備し、前記第１の補聴器（４）が第１の通信ユニット（１１）、第１のオーディオ受信器（１０）および第１のレシーバ（１２）を備え、前記第２の補聴器（６）が第２の通信ユニット（２１）、第２のオーディオ受信器（２０）および第２のレシーバ（２２）を備え、前記第１の通信ユニット（１１）と前記第２の通信ユニット（２１）が誘導結合によって相互に情報を伝達するように形成され、さらに制御装置（２６）を具備し、この制御装置が前記第１の補聴器（４）と前記第２の補聴器（６）を制御するように形成されている、使用者（２）の両耳の補聴のための聴取装置（１）において、
前記第１のオーディオ受信器（１０）と前記第２のオーディオ受信器（２０）がステレオ方式のオーディオ情報（８）を受信および処理するように形成されていることと、前記制御装置（２６）が、前記両補聴器の一方（例えば６）をオーディオ受信非実行状態に、そしてその都度他方の前記補聴器（例えば４）をオーディオ受信実行状態に切り換え、作動時間内においてオーディオ信号の信号強度を表す、それぞれ前記補聴器（４、６）に関連するパラメータに依存して、前記補聴器（４、６）のオーディオ受信実行状態とオーディオ受信実行状態を相互に交換し、そして前記通信ユニット（１１、２１）を用いて誘導結合によって、オーディオ情報（８）をオーディオ受信非実行状態の前記補聴器（６）に伝送するためにオーディオ受信実行状態の前記補聴器（例えば４）を制御するように形成されていることを特徴とする聴取装置（１）。
【請求項２】
前記制御装置（２６）が、オーディオ受信非実行状態の前記補聴器（例えば６）に割り当てられたステレオチャネルのみのオーディオ情報を伝送するためにオーディオ受信実行状態の前記補聴器（例えば４）を制御するように形成されていることを特徴とする請求項１に記載の聴取装置（１）。
【請求項３】
前記第１のオーディオ受信器（１０）と前記第２のオーディオ受信器（２０）が、チャネル結合法に従ってコード化されたステレオ方式のオーディオ情報（８）を受信およびデコード化するように形成されていることを特徴とする請求項１または２に記載の聴取装置（１）。
【請求項４】
前記制御装置（２６）が前記第１の補聴器（４）内の第１の制御ユニット（１３）と、前記第２の補聴器（６）内の第２の制御ユニット（２３）とを備え、これらの制御ユニットが前記通信ユニット（１１、２１）間で情報を伝達することによって通信するように形成されていることを特徴とする請求項１〜３のいずれか一項に記載の聴取装置（１）。
【請求項５】
前記制御装置（２６）が、作動時間内において前記補聴器（４、６）のオーディオ受信実行状態とオーディオ受信実行状態を周期的に相互に交換するように形成されていることを特徴とする請求項１〜４のいずれか一項に記載の聴取装置（１）。
【請求項６】
前記制御装置（２６）が、設定可能な時間間隔をおいてその都度前記第１の補聴器（４）と前記第２の補聴器（６）で受信したオーディオ情報（８）の信号強度を検出し、検出された信号強度を互いに比較し、そしてその信号強度が実際に小さな補聴器（例えば６）をオーディオ受信非実行状態に切り換えるように形成されていることを特徴とする請求項１に記載の聴取装置（１）。
【請求項７】
前記制御装置（２６）が、設定可能な時間間隔をおいてオーディオ信号を認識するためにその都度一方の補聴器（例えば４）をオーディオ受信実行状態に、そしてそうでなければ両方の補聴器（４、６）をそれぞれオーディオ受信非実行状態に切り換えるように形成されていることを特徴とする請求項１〜６のいずれか一項に記載の聴取装置（１）。
【請求項８】
さらに、オーディオトランスミッタ（９）を具備し、このオーディオトランスミッタが、ステレオ方式のオーディオ情報（８）を無線で伝送するように、チャネル結合法でコード化されたステレオ方式のオーディオ情報（８）を無線で伝送するように形成されていることを特徴とする請求項１〜７のいずれか一項に記載の聴取装置（１）。
【請求項９】
第１の耳（５）の補聴のための第１の補聴器（４）と、第２の耳（７）の補聴のための第２の補聴器（６）を具備し、前記第１の補聴器（４）が第１の通信ユニット（１１）、第１のオーディオ受信器（１０）および第１のレシーバ（１２）を備え、前記第２の補聴器（６）が第２の通信ユニット（２１）、第２のオーディオ受信器（２０）および第２のレシーバ（２２）を備え、前記第１の通信ユニット（１１）と前記第２の通信ユニット（２１）が誘導結合によって相互に情報を伝達するように形成され、さらに制御装置（２６）を具備し、この制御装置が前記第１の補聴器（４）と前記第２の補聴器（６）を制御するように形成されている、聴取装置（１）を作動するための方法において、
一方の補聴器（例えば４）のオーディオ受信実行状態において、付設のオーディオ受信器（例えば１０）がステレオ方式のオーディオ情報（８）を受信してさらに処理し、一方、その都度他方の補聴器（例えば６）がオーディオ受信非実行状態に切り換えられることと、作動時間内において、前記補聴器（４、６）のオーディオ受信実行状態とオーディオ受信実行状態が、オーディオ信号の信号強度を表す、それぞれ前記補聴器（４、６）に関連するパラメータに依存して相互に交換されることと、オーディオ受信実行状態の前記補聴器（例えば４）により、オーディオ情報（８）が前記通信ユニット（１１、２１）を用いて誘導結合によってオーディオ受信非実行状態の前記補聴器（例えば６）に伝送されることを特徴とする方法。
【請求項１０】
オーディオ受信非実行状態の前記補聴器（例えば６）に付設されたステレオチャネルのみのオーディオ情報（８）が、オーディオ受信実行状態の前記補聴器（例えば４）によって伝送されることを特徴とする請求項９に記載の方法。
【請求項１１】
オーディオ受信実行状態のそれぞれの前記補聴器（例えば４）のオーディオ受信器（例えば１０）において、チャネル結合法に従ってコード化されたステレオ方式のオーディオ情報が受信およびデコード化されることを特徴とする請求項９または１０に記載の方法。
【請求項１２】
作動時間内において前記補聴器（４、６）のオーディオ受信実行状態とオーディオ受信非実行状態が相互に交換されることを特徴とする請求項９〜１１のいずれか一項に記載の方法。
【請求項１３】
作動時間内において前記補聴器（４、６）のオーディオ受信実行状態とオーディオ受信実行状態が周期的に相互に交換されることを特徴とする請求項１２に記載の方法。
【請求項１４】
設定可能な時間間隔をおいてその都度前記第１の補聴器と前記第２の補聴器（４、６）で受信したオーディオ情報の信号強度が検出され、前記検出された信号強度が互いに比較され、そしてその信号強度が実際に小さな前記補聴器（例えば６）がオーディオ受信非実行状態に切り換えられることを特徴とする請求項９〜１３のいずれか一項に記載の方法。
【請求項１５】
設定可能な時間間隔をおいてオーディオ信号を認識するためにその都度前記補聴器の一方（例えば４）がオーディオ受信実行状態に、さもなければ前記両補聴器（４、６）がオーディオ受信非実行状態に切り換えられることを特徴とする請求項９〜１４のいずれか一項に記載の方法。
【請求項１６】
前記ステレオ方式のオーディオ情報（８）、チャネル結合法に従ってコード化された前記ステレオ方式のオーディオ情報（８）がオーディオトランスミッタ（９）によって無線で受信されることを特徴とする請求項９〜１５のいずれか一項に記載の方法。
【発明の詳細な説明】
【技術分野】
【０００１】
本発明は、第１の耳の補聴のための第１の補聴器と、第２の耳の補聴のための第２の補聴器と、第１の補聴器と第２の補聴器を制御するための制御装置を具備し、第１の補聴器が第１の通信ユニット、第１のオーディオ受信器および第１のレシーバを備え、第２の補聴器が第２の通信ユニット、第２のオーディオ受信器および第２のレシーバを備え、第１の通信ユニットと第２の通信ユニットが誘導結合によって相互に情報を伝達するように形成されている、使用者の両耳の補聴のための聴取装置に関する。本発明はさらに、このような聴取装置を作動するための方法に関する。本発明は、両耳の聴取装置の使用者に、特にステレオ方式のオーディオ情報を取り込むための用途に従事する。
【背景技術】
【０００２】
冒頭に述べた種類の聴取装置は例えば特許文献１から知られている。この特許文献１には、補聴器のために、高い帯域幅で両耳の情報伝達を行うためのアンテナの特殊構造体が開示されている。さらに、特許文献２から、使用者の両耳の補聴のためのこのような聴取装置が知られている。そこでは、一方の補聴器を調節するために、相互の情報交換によって、他方の補聴器を経てハードウェア情報および／または他方の耳を経て聴力測定情報を使用することが提案されている。特許文献３では、両補聴器の間の信号経路で音場特性値が交換され、補聴器での信号処理の調整のために用いられる。
【０００３】
さらに、特許文献４から、冒頭に述べた聴取装置が知られている。誘導結合による両補聴器の通信ユニット間の双方向接続のために、特殊指向性のアンテナが開示されている。特許文献５には、冒頭に述べた聴取装置のための、電池駆動の補聴器へのオーディオ情報の伝送が記載されている。オーディオ送信器を備えた一方の補聴器はデジタルオーディオ情報を中間通信機器に伝送する。補聴器と中間通信機器との間では、少なくとも一方向において無線の誘導結合が行われる。
【０００４】
特に電池駆動の補聴器を備えた聴取装置の場合、基本的には、できるだけ長い使用可能時間および寿命を可能にするために、エネルギ効率に注意を払わなければならない。これは、特にステレオ方式のオーディオ情報が第１の補聴器と第２の補聴器を有する両耳の聴取装置に取り込まれる実際の使用についても当てはまる。
【先行技術文献】
【特許文献】
【０００５】
【特許文献１】欧州特許出願公開第２７８２３６３Ａ１号明細書
【特許文献２】欧州特許出願公開第１９８３８０１Ａ２号明細書
【特許文献３】独国特許出願公開第１００４８３５４Ａ１号明細書
【特許文献４】国際公開第２００６／１２２８３６Ａ２号パンフレット
【特許文献５】欧州特許第２１２９１７０Ｂ１号明細書
【発明の概要】
【発明が解決しようとする課題】
【０００６】
本発明の根底をなす第１の課題は、できるだけエネルギ効率的なオーディオ情報の取り込みを可能にする、使用者の両耳の補聴のための冒頭に述べた種類の聴取装置を提供することである。本発明の根底をなす他の課題は、オーディオ情報の取り込みに関してできるだけエネルギ効率的である、使用者の両耳の補聴のための聴取装置を作動するための方法を提供することである。
【課題を解決するための手段】
【０００７】
最初に挙げた課題は、冒頭に述べた種類の聴取装置において本発明に従い、第１のオーディオ受信器と第２のオーディオ受信器が特にステレオ方式のオーディオ情報を受信および処理するように形成されていることと、制御装置が、両補聴器の一方をオーディオ受信非実行状態に、そして他方の補聴器をオーディオ受信実行状態に切り換え、作動時間内においてオーディオ信号の信号強度を表す、それぞれ補聴器に関連するパラメータに依存して、補聴器のオーディオ受信実行状態とオーディオ受信実行状態を相互に交換し、そして通信ユニットを用いて誘導結合によって、オーディオ情報をオーディオ受信非実行状態の補聴器に伝送するために、オーディオ受信実行状態の補聴器を制御するように形成されていることによって解決される。
【０００８】
２番目に挙げた課題は、冒頭に述べた種類の聴取装置を作動するための方法において本発明に従い、一方の補聴器のオーディオ受信実行状態において、付設のオーディオ受信器が特にステレオ方式のオーディオ情報を受信してさらに処理し、一方、その都度他方の補聴器がオーディオ受信非実行状態に切り換えられることと、作動時間内において、補聴器（４、６）のオーディオ受信実行状態とオーディオ受信実行状態が、オーディオ信号の信号強度を表す、それぞれ補聴器（４、６）に関連するパラメータに依存して相互に交換されることと、オーディオ受信実行状態の補聴器により、オーディオ情報が通信ユニットを用いて誘導結合によってオーディオ受信非実行状態の補聴器に伝送されることによって解決される。
【０００９】
今日の技術水準では、使用者の両耳の補聴のための聴取装置において、オーディオ情報がその都度各補聴器のオーディオ受信器によって受信されてさらに処理される。右側の耳の補聴を行う補聴器では、ステレオ方式のオーディオ情報の場合、右側のチャネルがレシーバに取り込まれる。これに対応して、左側の耳の補聴を行う補聴器では、ステレオ方式のオーディオ情報の場合、左側のチャネルがレシーバに取り込まれる。
【００１０】
第１段階において、本発明では、このような技術により、特にステレオ方式のオーディオ情報を伝送する際に、聴取装置において不必要なエネルギが消費されることが判明した。というのは、各レシーバを介しての出力のためにその都度オーディオ信号の右側または左側のチャネルだけしか必要でないにもかかわらず、完全なステレオ方式のオーディオ情報が両補聴器のそれぞれに受信されてさらに処理されるからである。
【００１１】
第２段階において、本発明は、最新の両耳の聴取装置に実装された、誘導結合による両補聴器間の情報伝達部が、オーディオ情報の伝達にも知的に一緒に利用されると、両耳の聴取装置にステレオ方式のオーディオ情報を取り込むためのエネルギ必要量を低減することができるという考察から出発する。
【００１２】
提起した課題の解決策として、本発明は、第３段階において、その都度両補聴器の一方のみを、オーディオ情報を受信してさらに処理する動作を実行する状態（オーディオ受信実行状態）にするように切り換え、両補聴器の他方がステレオ方式のオーディオ情報を受信してさらに処理する動作を実行しない状態（オーディオ受信非実行状態）にすることを提案する。換言すると、オーディオ受信器と、それによって受信されたオーディオ情報のさらなる処理部は、オーディオ受信非実行状態の補聴器では作動を停止される。その代わりに、オーディオ受信非実行状態にある補聴器は、誘導結合によって形成された、オーディオ受信実行状態にある他方の補聴器の接続部を経て、オーディオ情報を得る。処理と伝送によって生じる、両耳のオーディオ信号の間の時間的な差は無視することができる。なぜなら、最新の補聴器で発生する待ち時間に人が気づかないからである。従って、最新の補聴器はリアルタイム処理を可能にする。
【００１３】
オーディオ情報を取り込む間、その都度補聴器の一方だけがオーディオ受信実行状態にあることにより、聴取装置に関して先ず最初に、オーディオ情報を受信してさらに処理するためのエネルギ必要量が、平行な両側受信と比べて半分になる。さらに、情報伝達は、電気力学的近距離場内で生じる、両補聴器の通信ユニット間の誘導結合によって、エネルギ効率がきわめて良好であり、さらに補聴器間の調整のために絶えず行われる。従って全体として、両耳の補聴用の聴取装置に関して、オーディオ情報が片側でのみ受信され、補聴器の間に形成された誘導信号接続部によって、他方の補聴器に伝送されることにより、オーディオ情報を取り込むためのエネルギ効率が改善される。
【００１４】
本発明は基本的にはオーディオ情報の種類に限定されない。エネルギの利点はモノラル信号の伝達の場合にも得られる。しかし、ステレオ方式のオーディオ情報の伝達が有利である。さらに、オーディオ情報の伝達方法も基本的には限定されない。しかし実際には、聴取装置へのオーディオ情報の無線伝送である。この場合、無線伝送は特にコード化されたデジタル情報によって行われる。しかし、本発明はこれに決して限定されない。補聴器としては特に、聴力が制限された使用者のために形成された聴取補助器が含まれる。しかし、本発明は同様にこの聴取補助器に限定されない。補聴器としては、例えばヘッドセット等の分野で使用されているヘッドホンも本発明に含まれる。
【００１５】
オーディオ情報の無線伝送が、例えばＷＬＡＮのようなローカル設置の無線ネットワークのための伝送規格によって行われると有利である。原理的にはＢＬＵＥＴＯＯＴＨ(登録商標)によるオーディオ情報の伝送も可能である。しかし、ＢＬＵＥＴＯＯＴＨの装置が伝送ステーションを可変に割り当てたいわゆる「散乱（スキャッタ）ネット」によって行われるので、これによって不所望な信号遅延と電波の影を生じ得る。
【００１６】
本発明は、エネルギ効率的な伝送の上述の効果のほかに、特にローカル無線ネットワークを介して無線受信する際に、両補聴器でオーディオ信号が統一されるという他の効果を奏する。両補聴器のオーディオ信号が独立して受信されてさらに処理されると、使用者の居所に応じて、オーディオ信号の信号強度が両補聴器で不所望な差を生じ得る。これは片側受信の場合には回避される。この場合、本発明は、信号強度および／または信号の品質に依存して、受信する補聴器または作用的な補聴器を選択することを可能にする。これは特に、頭による、ＨＦ範囲の強い減衰効果を考察するときに有利である。
【００１７】
補聴器間の誘導結合の場合、低周波数によって処理され、この低周波数では人の頭による減衰が比較的に小さい。両補聴器間の誘導結合による伝送のために、例えば約３．２ＭＨｚの周波数帯域が使用されるので、伝送のために近距離場の条件が達成される。これに対して、ＷＬＡＮによる無線伝送のために使用される周波数帯域は約２．４ＧＨｚである。この周波数範囲では、人の頭が伝送信号を明確に減衰することにある。
【００１８】
ステレオ方式のオーディオ情報を取り込むためのエネルギ効率のさらなる改善は、オーディオ受信実行状態の補聴器において、オーディオ受信非実行状態の補聴器に割り当てられたステレオチャネルのみのオーディオ情報が用意され、このオーディオ情報だけが誘導結合によってオーディオ受信非実行状態の補聴器に伝送されることによって達成される。これにより、誘導結合によって伝送される情報量が、ステレオ方式のオーディオ情報の場合にさらに低減される。これによって、概して聴取装置のエネルギ必要量もさらに低減される。
【００１９】
本発明の他の有利な実施形では、第１のオーディオ受信器と第２のオーディオ受信器が、チャネル結合法に従ってコード化されたステレオ方式のオーディオ情報を受信およびデコード化するように形成されている。換言すると、これによって補聴器は圧縮されたステレオ方式のオーディオ情報を受信するために強化され、それによりエネルギ効率のさらなる改善が達成可能である。
【００２０】
チャネル結合によるステレオ方式のオーディオ情報のコード化方法は、両ステレオチャネルの冗長性を考慮する方法である。例えば、同一信号および差分信号の形をしたステレオ方式のオーディオ情報が伝送され、ステレオチャネルが相違しているというよりも一致していることにより、ステレオ信号のために伝送すべき情報量を低減することができる。さらに、中央信号と差分信号が伝送されることにより、情報圧縮が達成可能である。さらに、ステレオ方式のオーディオ情報の圧縮の場合、人の聴力の特性を利用することができる。例えば人の聴覚は低い周波数の場合にずっと空間的に聞くための時間的な差を評価し、一方、強度の差は高い周波数の場合にずっと方向づけに関与させられる。
【００２１】
その都度使用される圧縮方法に依存して、送信器側において、ステレオ方式のオーディオ情報を正確かつ完全にあるいは品質のある程度の損失で再構成することができる。チャネル結合による圧縮またはコード化の方法は、いわゆるジョイント−ステレオ−方法として知られている。中央値信号（Ｍ）と差分信号または側方信号（Ｓ）を伝送する方法は、ミッド−サイド−方法あるいはＭ／Ｓ方法として知られている。
【００２２】
ステレオ方式のオーディオ情報の情報圧縮により、補聴器に伝送されるべき情報量またはこの補聴器によって受信すべき情報量が減少する。これはさらに、エネルギ効率の改善につながる。例えばステレオチャネルの伝送のための時間−多重−方法の場合には、ジョイント−ステレオ−コード化方法による両チャネルの分離伝送と比べて、２５％までの情報減少が達成可能である。
【００２３】
両補聴器を制御するための制御装置は好ましくは、第１の補聴器内の第１の制御ユニットとしておよび第２の補聴器内の第２の制御ユニットとして与えられ、第１と第２の制御ユニットは通信ユニット間で指向性誘導結合によって情報を伝達することにより通信する。そのためにマスタ−スレーブ−動作は必ずしも必要ではない。代替的な実施形では、制御装置が外部に配置され、例えば指向性無線接続部を介して両補聴器の制御を行う。特に、外部の制御装置はオーディオ情報を供するオーディオトランスミッタ内に配置されている。
【００２４】
作動時間内において、適当な制御により、オーディオ受信実行状態とオーディオ受信実行状態がオーディオ信号の信号強度を示す、それぞれ補聴器に関連するパラメータに依存して相互に交換される。この場合特に、使用者の位置変更が関連づけられるので、所定の信号強度に基づいて、オーディオ受信非実行状態の補聴器をオーディオ受信実行状態に変更し、同時に他の補聴器をオーディオ受信に関して非作用化する。他方では、オーディオ受信に関して作用的または非作用的な補聴器としての役目の多重交換は、両耳の聴取装置の全体寿命を延長することができる。例えば両補聴器間で役目を適当に交換することにより、その都度少ないエネルギ量を有する電池がオーディオ受信に関して非作用的な役目を頻繁に担うときに、電池の均一な放電または負荷が達成される。これにより特に、新しく使用される電池の充電状態の差または高められた電池の片側の負荷が考慮される。この場合、後者は例えば両耳の異なる聴力に基づいて異なるように調節された補聴器の増幅の結果である。このような考察に関係なく、両補聴器の均一な負荷のために、オーディオ受信に関する補聴器の役目が周期的に交換されると有利である。そのために、制御装置が相応するように形成されている。
【００２５】
従って、オーディオ信号の信号強度を表す、それぞれ補聴器に関連するパラメータに依存して、補聴器のオーディオ受信実行状態とオーディオ受信実行状態を相互に交換するように、制御装置が形成されている。このようなパラメータの検出により、その都度補聴器に与えられた作用的な状態を考慮し、全体システムの延長された寿命のために、補聴器のオーディオ受信実行状態とオーディオ受信実行状態を相互に交換することができる。
【００２６】
補聴器のオーディオ受信実行状態とオーディオ受信実行状態の交換に加えて、特にこの下位において、電池がより多いエネルギ量を有するかまたは出力取り出しに関してより小さく負荷されている補聴器を、オーディオ受信実行状態に切り換えると有利である。換言すると、制御装置はさらに、電池状態または負荷状態を表す、その都度補聴器に関連するパラメータに依存して、補聴器のオーディオ受信実行状態とオーディオ受信実行状態を交換するように形成されている。
【００２７】
この場合、用語「電池」とは、再充電可能な電池、すなわち蓄電池と、使い捨て電池であると理解される。
【００２８】
設定可能な時間間隔をおいてその都度第１と第２の電池の実際のエネルギ量、すなわち特に実際の充電状態を検出し、検出されたエネルギ量を互いに比較し、実際に少ないエネルギ量を有する電池を備えた補聴器をオーディオ受信非実行状態に切り換えるように、制御装置が形成されていると合目的である。ここでおよび以下において、用語設定可能な時間間隔とは、時間間隔が固定設定されているかまたは設定された値に可変調節可能であることであると理解される。
【００２９】
さらに、設定可能な時間間隔をおいてその都度第１と第２の電池の摩耗度合いおよび／または劣化度合いを検出し、検出された摩耗度合いおよび／または劣化度合いを互いに比較し、その都度より高い摩耗度合いおよび／または劣化度合いを有する電池を備えた補聴器をオーディオ受信非実行状態に切り換えるように、制御装置が形成されていると有利である。特に電池の摩耗度合いおよび／または劣化度合いは「健康状態」を介してまたは残りの容量、すなわち最大可能な充電容量を介して検出される。
【００３０】
発展形態では、設定可能な時間間隔をおいてその都度第１と第２の電池の実際の出力取り出しを検出し、検出された出力取り出しを互いに比較し、その都度より多い出力取り出しを実際に有する電池を備えた補聴器をオーディオ受信非実行状態に切り換えるように、制御装置が形成されていると有利である。
【００３１】
上記の切り換え方策は全体システムの作動時間と寿命の延長をもたらす。この場合特に、出力取り出し、電池の初期の充電状態、電池の劣化状態または摩耗状態、例えば年数または充電サイクルと放電サイクルの数または電池品質に関する、両補聴器の非対称性が低減される。
【００３２】
この上位において、選択可能な時間間隔をおいてその都度第１の補聴器と第２の補聴器で受信したオーディオ情報の信号強度を検出し、検出された信号強度を互いに比較し、そしてその信号強度が実際に小さな補聴器をオーディオ受信非実行状態に切り換えるように、制御装置が形成されていると合目的である。この場合、もちろん、検出された信号強度の大きな補聴器はオーディオ受信実行状態に切り換えられる。これにより、使用者のために、取り込まれたオーディオ情報の信号品質が改善される。
【００３３】
他の有利な実施形では、設定可能な時間間隔をおいてオーディオ信号を認識するためにその都度一方の補聴器をオーディオ受信実行状態に、そしてそうでなければ両方の補聴器をそれぞれオーディオ受信非実行状態に切り換えるように、制御装置が形成されている。換言すると、その都度一方の補聴器だけがオーディオ信号を認識するために作用している。オーディオ信号が認識されると、このオーディオ信号は作用的なオーディオ受信モードに切り換えられた補聴器を介して受信され、さらに処理され、誘導結合によって他方の補聴器に伝送される。オーディオ情報が両補聴器を介して受信されないので、オーディオ信号を検出するために両補聴器を作用的な作動状態に規則的に切り換える必要がない。これによって、エネルギ効率が改善される。オーディオ信号を認識するためにその都度両補聴器の一方だけが規則的に作用させられる。
【００３４】
聴取装置はさらに、オーディオトランスミッタを具備し、このオーディオトランスミッタは、特にステレオ方式のオーディオ情報を無線で伝送するように形成されている。この場合、特に、オーディオトランスミッタはチャネル結合法でステレオ方式のオーディオ情報をコード化するように形成されている。このようなオーディオトランスミッタは例えば、適当なソフトウェア（「アプリ」）を実装することによって必要な機能を提供するスマートホンである。その代わりに、オーディオトランスミッタは例えばＰＣ、ステレオ装置またはＴＶ受信機のようなオーディオ源の一部としてあるいはオーディオトランシーバの一部として形成されている。その際、オーディオトランシーバは、オーディオ源と聴取装置との間のリンクである。オーディオトランシーバは適当なオーディオ源のオーディオ情報を受信し、このオーディオ情報を適当な信号に変換する。この信号は特にチャネル結合法に従ってコード化されたステレオ情報を含んでいる。
【００３５】
本発明の上記の変形実施形は、聴取装置と、このような聴取装置を作動するための方法に関する。この場合、上記の効果は意味に即して問題なく転換可能である。方法段階がそのようなものとして記載されている場合には、この方法段階は制御装置によって聴取装置に実装可能である。制御装置は、聴取装置または補聴器の構成要素を適当に制御して適当な方法段階を実施するように形成されている。
【００３６】
図に基づいて本発明の実施の形態を詳しく説明する。
【図面の簡単な説明】
【００３７】
【図１】ステレオ方式のオーディオ情報を取り込むように構成された、使用者の両耳の補聴のための聴取装置を示す。
【発明を実施するための形態】
【００３８】
図１には、右側の第１の耳５の補聴のための第１の補聴器４と、左側の第２の耳７の補聴のための第２の補聴器６とを介して、使用者２の両耳の補聴を行うための聴取装置１が示してある。図示した聴取装置１は両補聴器４、６を介して特にステレオ方式のオーディオ情報８を取り込むように構成されている。そのために、オーディオ情報８は無線電信装置、特にＷＬＡＮによって補聴器４、６に伝送され、オーディオトランスミッタ９が設けられている。このオーディオトランスミッタ９は例えば、オーティオ源３０にケーブルで接続されているかまたは無線で接続されているオーディオトランシーバまたはスマートホンである。オーディオ源３０は例えばＰＣ、テレビ受信機、ラジオ受信機またはステレオ装置である。
【００３９】
第１の補聴器４はオーディオ情報を受信するためおよびさらに処理するための第１のオーディオ受信器１０と、第１の通信ユニット１１と、第１のレシーバ１２と、第１の制御ユニット１３を備えている。エネルギ供給のために、再充電可能な第１の電池１４が実装されている。
【００４０】
同様に、第２の補聴器６はオーディオ情報８を受信するための第２のオーディオ受信器２０と、第２の通信ユニット２１と、第２のレシーバ２２と、第２の制御ユニット２３を備えている。エネルギ供給のために、再充電可能な第２の電池２４が実装されている。
【００４１】
第１の通信ユニット１１と第２の通信ユニット２１は互いに情報を伝送するために、誘導結合によって形成されている。このデータ伝送により、聴取装置１の使用中、使用者２の両耳の最適な補聴に関する、第１の補聴器４と第２の補聴器６との間の情報の照合が絶えず行われる。
【００４２】
好ましくはステレオ方式のオーディオ情報８を取り込むために、その都度補聴器４、６の一方だけがオーディオ受信実行状態に置かれる。そのとき補聴器４、６の他方はオーディオ受信非実行状態にある。本例では、右側の補聴器４がオーディオ受信実行状態に切り換えられている。左側の補聴器６はオーディオ受信非実行状態に切り換えられている。ステレオ方式のオーディオ情報８は専ら補聴器４によって無線で受信されてさらに処理される。ステレオ方式のオーディオ情報８は右側のステレオチャネルＲと左側のステレオチャネルＬを含む。
【００４３】
第１の補聴器４では、第１の制御ユニット１３によって惹起されて、受信したステレオ方式のオーディオ情報８がさらに処理される。特に、右側ステレオチャネルＲが抽出され、第１のレシーバ１２にエクスポートされる。同時に、受信したオーディオ情報８はオーディオ受信実行状態にある第１の補聴器４から、第１の通信ユニット１１を介して誘導結合によって、第２の補聴器６の第２の通信ユニット２１に伝送される。この第２の通信ユニットにおいて、得られたオーディオ情報から左側のステレオチャネルＬが抽出され、第２のレシーバ２２にエクスポートされる。
【００４４】
両補聴器４、６の制御ユニット１３、２３は同様に、通信ユニット１１、２１の間の誘導結合を介して交信する。特に、作用的またはオーディオ受信非実行状態に関する補聴器４、６に割り当てられた役目が、規則的な間隔をおいて、第１と第２の制御ユニット１３、２３による適当な制御によって相互に交換させられる。これにより、電池１４、２４の均等な負荷が達成される。この場合好ましくは、制御ユニット１３、２３によって、その都度の電池状態が付設の補聴器４、６で検出され、その都度より多くのエネルギ量を有する電池１４、２４に付設された各補聴器４、６がオーディオ受信実行状態に切り換えられる。これに加えて、得られたオーディオ情報８の信号強度を規則的にチェックすることにより、高い信号強度を有するオーディオ情報８を受信した補聴器４、６がオーディオ受信実行状態に切り換えられる。
【００４５】
設定された時間にわたってステレオ方式のオーディオ情報８がもはや受信されないと、制御ユニット１３、２３によって、両補聴器はオーディオ受信非実行状態になる。そして、規則的な時間間隔をおいて、補聴器４、６の一方がオーディオ受信実行状態になり、オーディオ信号８がどの程度取り込みのために供されるかがチェックされる。オーディオ信号８が確認されると、このオーディオ信号は作動した補聴器４、６を経て聴取装置１に取り込まれる。
【００４６】
図示した上述の方法は、ステレオ方式のオーディオ情報８を取り込むために高いエネルギ効率を達成可能にする。なぜなら、このオーディオ情報が片側でのみ受信され、さらに処理されるからである。その都度他方の補聴器４または６へのオーディオ情報８の転送は、通信ユニット１１、２１の間の誘導結合によってエネルギ効率的に行われる。
【００４７】
オーディオトランスミッタ９がチャネル結合法に従ってコード化されたステレオ方式のオーディオ情報８をコード化および送信するように形成されていることにより、エネルギ効率のさらなる改善が達成される。これにより、情報圧縮、ひいてはオーディオ情報８の伝送のために低下したデータ転送速度が達成可能になる。方法のエネルギ効率はさらに、両通信ユニット１１、２１間の誘導結合が変形実施形において、その都度オーディオ受信に関して非作用的な補聴器４、６にとって必要となるステレオチャネル（本例では左側のステレオチャネルＬ）にのみ伝送されることによって改善される。
【符号の説明】
【００４８】
１・・・聴取装置
２・・・使用者
４・・・第１の補聴器
５・・・第１の耳
６・・・第２の補聴器
７・・・第２の耳
８・・・ステレオ方式のオーディオ情報
９・・・オーディオトランスミッタ
１０・・・第１のオーディオ受信器
１１・・・第１の通信ユニット
１２・・・第１のレシーバ
１３・・・第１の制御ユニット
１４・・・再充電可能な第１の電池
２０・・・第２のオーディオ受信器
２１・・・第２の通信ユニット
２２・・・第２のレシーバ
２３・・・第２の制御ユニット
２４・・・再充電可能な第２の電池
２６・・・制御装置
３０・・・オーディオ源
【図１】
2016144214.tif 000003